(57)【特許請求の範囲】
【請求項１】
無線通信システムにおける間欠受信方法であって、
連続キャリアアグリゲーションを採用するか、又は間欠キャリアアグリゲーションを採用するかを特定すること、
連続キャリアアグリゲーションである場合に、プライマリセル及び各セカンダリセルに対して、共通のオンデュレーション区間タイマー及び／又は共通の間欠受信非アクティビティタイマーを設置すること、及び、
間欠キャリアアグリゲーションである場合に、プライマリセル及び各セカンダリセルに対して、単独のオンデュレーション区間タイマー及び／又は単独の間欠受信非アクティビティタイマーを設置すること、を含む、間欠受信方法。
【請求項２】
プライマリセルに対する物理下り制御チャンネルにおいて当該セル又はその他のセカンダリセルでの新たなデータ伝送の指示を受信した場合に、当該プライマリセルに対する間欠受信非アクティビティタイマーを開始又はリセットすることをさらに含む、請求項１に記載の方法。
【請求項３】
プライマリセル又はセカンダリセルにおいてキャリア識別フィールドが含まれる下り伝送割当指示又は上り伝送授権を受信した場合に、当該プライマリセル又は当該セカンダリセルの間欠受信非アクティビティタイマーを開始又はリセットすると共に、前記キャリア識別フィールドに対応するセルの間欠受信非アクティビティタイマーを開始又はリセットすること、及び、
プライマリセル又はセカンダリセルにおいてキャリア識別フィールドが含まれていない下り伝送割当指示又は上り伝送授権を受信した場合に、当該プライマリセル又は当該セカンダリセルに対する間欠受信非アクティビティタイマーのみを開始又はリセットすることを含む請求項２に記載の方法。
【請求項４】
プライマリセルのみで競合解決成功を示すメッセージを受信した場合に、プライマリセル及び各セカンダリセルに単独の競合解決タイマーを設置し、さもなければ、プライマリセル及び各セカンダリセルに共通の競合解決タイマーを設置することをさらに含む請求項１に記載の方法。
【請求項５】
プライマリセルのみで競合解決成功を示すメッセージを受信した場合であって、競合解決成功を示すメッセージを受信した場合に、プライマリセルの競合解決タイマーを停止すること、及び、
競合解決成功を示すメッセージを受信したのがプライマリセルだけではない場合に、プライマリセルの競合解決タイマーを起動すると共に、セカンダリセルの競合解決タイマーを起動し、プライマリセル又は何れかのセカンダリセルにおいて競合解決成功を示すメッセージを受信した場合に、プライマリセル及びセカンダリセルの競合解決タイマーを停止することをさらに含む請求項１に記載の方法。
【請求項６】
プライマリセル及び各セカンダリセルに対して、夫々、単独の間欠受信再伝送タイマーを設置することをさらに含む請求項１に記載の方法。
【請求項７】
連続キャリアアグリゲーションである場合に、プライマリセル及び各セカンダリセルの間欠受信パラメータに同じ値を設置すること、及び、
間欠キャリアアグリゲーションである場合に、プライマリセル及び各セカンダリセルの間欠受信パラメータに異なる値を設置することをさらに含む請求項１に記載の方法。
【請求項８】
伝送すべきデータ量が比較的小さい場合、基地局に近い場合、信号品質が比較的良い場合又は移動局の移動速度がセルのカバー範囲に対して比較的小さい場合のうち、少なくとも一種の場合に、設置すべきセルに対する間欠受信非アクティビティタイマーのタイムアウト時間値及び／又は、当該設置すべきセルに対するオンデュレーション区間タイマーのタイムアウト時間値を比較的小さく設置し、及び／又は、当該設置すべきセルに対する間欠受信周期を比較的大きく設置することをさらに含む請求項１に記載の方法。
【請求項９】
プライマリセルの間欠受信性能に関係なく、プライマリセルに対する間欠受信短周期タイマーのタイムアウト時間値を設置することをさらに含む請求項１に記載の方法。
【請求項１０】
セカンダリセルの信号品質が比較的不良であれば、活性化時間内においてのみ、当該セカンダリセルに対するフィードバックレポートを周期的に送信し、さもなければ、オンデュレーション区間帯のみで当該セカンダリセルに対するフィードバックレポートを周期的に送信することをさらに含む請求項１に記載の方法。
【請求項１１】
セカンダリセルの競合解決タイマーを起動することには、プライマリセルからセカンダリセルへ競合解決タイマーを起動させるメッセージを送信し、セカンダリセルがプライマリセルから送信された競合解決タイマーを起動させるメッセージを受信した場合に、セカンダリセルの競合解決タイマーを起動することを含み、
プライマリセル又は何れかのセカンダリセルにおいて競合解決成功を示すメッセージを受信した場合に、プライマリセル及びセカンダリセルの競合解決タイマーを停止することには、プライマリセル又は何れかのセカンダリセルにおいて競合解決成功を示すメッセージを受信した場合に、当該セルの競合解決タイマーを停止するとともに、その他のセルに各自のセルの競合解決タイマーを停止する情報を送信し、その他のセルが当該メッセージを受信した場合に、各自のセルの競合解決タイマーを停止することを含む請求項５に記載の方法。
【請求項１２】
物理下り制御チャンネルが配置されていないセカンダリセルに対して、間欠受信の配置を行わないことをさらに含む請求項１に記載の方法。
【請求項１３】
伝送すべきデータ量が比較的小さい場合、基地局に近い場合、信号品質が比較的良い場合又は移動局の移動速度がセカンダリセルのカバー範囲に対して比較的小さい場合のうち、少なくとも一種の場合に、設置すべきセカンダリセルの間欠受信短周期タイマーを比較的小さく設置することをさらに含む請求項１に記載の方法。
【請求項１４】
キャリア配置過程と分離するキャリア活性化／活性化除去操作を使用する無線通信システムにおける間欠受信方法であって、
プライマリセル及び各セカンダリセルに対して、共通のオンデュレーション区間タイマー及び／又は間欠受信非アクティビティタイマーを設置することを含む、間欠受信方法。
【請求項１５】
プライマリセルのみで競合解決成功を示すメッセージを受信した場合に、プライマリセル及び各セカンダリセルに対して、単独の競合解決タイマーを設置し、さもなければ、プライマリセル及び各セカンダリセルに対して、共通の競合解決タイマーを設置することをさらに含む請求項１４に記載の方法。
【請求項１６】
プライマリセル及び各セカンダリセルに対して、単独の間欠受信再伝送タイマーを設置することをさらに含む請求項１４に記載の方法。
【請求項１７】
プライマリセル及び各セカンダリセルの間欠受信パラメータに同じ値を設置することをさらに含む請求項１４に記載の方法。
【請求項１８】
セルに対して活性化除去操作を行った後に、当該セルに対する物理下り制御チャンネルのモニタを止めること、及び、
活性化操作が実行されたセルに対して新たに活性化操作を行った後に、間欠受信運行規則に従って当該セルに対応する物理下り制御チャンネルをモニタリングする必要があるか否かを判断し、当該セルに対応する物理下り制御チャンネルをモニタリングする必要があると判断された場合に、当該セルに対応する物理下り制御チャンネルをモニタリングすることをさらに含む請求項１４に記載の方法。
【請求項１９】
移動局であって、
連続キャリアアグリゲーションを採用するか、又は間欠キャリアアグリゲーションを採用するかを特定するように配置された特定ユニットと、
連続キャリアアグリゲーションである場合に、プライマリセル及び各セカンダリセルに対して、共通のオンデュレーション区間タイマー及び／又は共通の間欠受信非アクティビティタイマーを設置し、間欠キャリアアグリゲーションである場合に、プライマリセル及び各セカンダリセルに対して、単独のオンデュレーション区間タイマー及び／又は単独の間欠受信非アクティビティタイマーを設置するように配置された設置ユニットとを含む、移動局。
【請求項２０】
キャリア配置過程と分離するキャリア活性化／活性化除去操作を実行するように配置された活性化／活性化除去ユニットと、
プライマリセル及び各セカンダリセルに対して共通のオンデュレーション区間タイマー及び／又は間欠受信非アクティビティタイマーを設置するように配置された設置ユニットとを含む移動局。
【請求項２１】
コンピュータに請求項１から１３の何れか一項に記載の方法を実行させることを特徴とするコンピュータソフトウェア。
【請求項２２】
コンピュータに請求項１４から１８の何れか一項に記載の方法を実行させることを特徴とするコンピュータソフトウェア。
【発明の詳細な説明】
【技術分野】
【０００１】
本発明は、無線通信システムの間欠受信に関し、特に、キャリアアグリゲーションによる間欠受信に関する。
【背景技術】
【０００２】
未来のＬＴＥ−Ａ（Ｌｏｎｇ  Ｔｅｒｍ  Ｅｖｏｌｕｔｉｏｎ  Ａｄｖａｎｃｅｄ，  長期的な進化・発展）システムが１００ＭＨｚほど高い伝送帯域を支持するが、ＬＴＥ規格が支持可能な最大の伝送帯域は２０ＭＨｚであることから、より高い伝送帯域を実現するように複数のキャリアをアグリゲートさせる必要がある。キャリアアグリゲーション（Ｃａｒｒｉｅｒ  Ａｇｇｒｅｇａｔｉｏｎ）は、３ＧＰＰ（３ｒｄ  Ｇｅｎｅｒａｔｉｏｎ  Ｐａｒｔｎｅｒｓｈｉｐ  Ｐｒｏｊｅｃｔ）が未来の移動通信システムにおけるより高い伝送帯域の需要を支持するために提案されたものであって、複数のキャリアをクラスタして連合伝送を行う技術である。アグリゲートされたキャリアは、周波数スペクトルでの位置に基づいて、連続キャリアアグリゲーションと間欠キャリアアグリゲーションとに分けられており、ＬＴＥ−Ａがこの二種のアグリゲーションのシーンを同時に支持する。３ＧＰＰは、キャリアアグリゲーション技術が導入されると共に、後方の互換性も考慮されたものである。これは、未来の長い期間で、キャリアアグリゲーションを、支持する移動局及び、支持しない移動局とが長期共存することを意味している。なお、キャリアアグリゲーションを支持する移動局は複数のキャリアユニットに同時にアクセス可能であるが、キャリアアグリゲーションを支持しない移動局は、ある一つのキャリアユニットのみにアクセス可能である。
【０００３】
キャリアアグリゲーション技術の導入につれ、セル毎に複数のキャリアユニットが配置される可能性があり、ユーザ装置も複数のキャリアユニットを使用する可能性があるが、すべてのユーザ装置が所在のセルのあらゆるキャリアユニットを使用するわけではない。なお、ユーザ装置により使用されるキャリアユニットは配置キャリアユニットと称され、使用されていないキャリアユニットは非配置キャリアユニットと称される。配置／非配置は、ユーザ装置ごとに対したものである。即ち、ユーザ装置によっては、異なる配置／非配置キャリアユニットを備える可能性がある。
【０００４】
配置キャリアユニットは、活性化キャリアユニットと活性化除去キャリアユニットとにさらに区分される。ユーザ装置は、活性化キャリアユニットにおいてデータ伝送を行い、活性化除去キャリアユニットにおいて何れかのデータ伝送を行わず、ＣＱＩ（チャネル品質インジケータ）に類似する難しさの大きい計測も支持しない。
【０００５】
活性化／非活性化キャリアユニットが導入されたメリットとしては、一時に使用しないキャリアユニットを非活性化状態に設置することにより、一層、ユーザ装置の電源を節約することができる。非活性キャリアユニットはＭＡＣシグナルにより快速的に活性状態に転換され、且つ、非配置キャリアのように何れかの計測を行わないことではなく、基地局が非活性化キャリアユニットにおける計測情報を利用して関連のパラメータを設置することができる。従って、突発したデータ業務の需要に良く適応することができる。
【０００６】
ＬＴＥ−Ａにおいては、セルごとに複数のキャリアユニットを有し、且つ、各ユーザ装置が複数のキャリアユニットに配分される可能性がある。ＬＴＥ−Ａは一つの特別なセルを定義している。ユーザ装置のそれぞれが一つの特別なセルのみを有し、異なるユーザ装置の特別なセルは異なる可能性がある。この特別なセルにおいて、システムがユーザ装置に安全な入力機能とＮＡＳ（非アクセス）層情報とを提供する。システムの角度から見れば、キャリアユニットのそれぞれは、一つのセルに相当し、ワールドワイドで唯一のセルマークが配分される。ユーザ装置の角度から見れば、複数のキャリアユニットが配分されても、一つのセル、即ち、特別なセルしか見えない。その他のキャリアユニットは、上り・下り資源と見なされる。
【０００７】
ＬＴＥ−ＡにおいてＰＣＣ（プライマリ  コンポーネント  キャリア：ｐｒｉｍａｒｙ  ｃｏｍｐｏｎｅｎｔ  ｃａｒｒｉｅｒ）の概念が導入される。ユーザ装置ごとに、一つの上りＰＣＣと一つの下りＰＣＣとが配置される。上り制御情報のすべてが上りＰＣＣにおいて伝送されている。無線リンク失敗（ＲＬＦ）情報もＰｃｅｌｌのみにおいてモニタリングされる。ＰＣＣに対応するセルは、相応的に、プライマリセル（Ｐｃｅｌｌ）とも称され、その他のセルは、セカンダリセル（Ｓｃｅｌｌ）と称される。プライマリセルは特別なセルであってもよい。
【０００８】
移動局の消費電力を節約するために、ＬＴＥ  Ｒｅｌ−８に間欠受信ＤＲＸ（Ｄｉｓｃｏｎｔｉｎｕｏｕｓ  Ｒｅｃｅｐｔｉｏｎ）が導入され、暇になるインタフェースにデータ伝送がない時に、ＰＤＣＣＨ（物理下り制御チャンネル）に対するモニタリングを停止し、受信機の作動を回避し、移動局の消費電力を減少し、電池の使用寿命を延長するようにする。
【０００９】
以下、ＬＴＥ  Ｒｅｌ−８のＤＲＸに関する幾つかの概念を紹介する。
【００１０】
１．オンデュレーション区間（ｏｎ  Ｄｕｒａｔｉｏｎ  ｔｉｍｅ）について、ユーザ装置が休眠期から復帰してオンデュレーション区間に進み、オンデュレーション区間タイマー（ｏｎ  Ｄｕｒａｔｉｏｎ  ｔｉｍｅｒ）を開始する。オンデュレーション区間においてユーザ装置がＰＤＣＣＨの情報を受信する。ＰＤＣＣＨにおいては、ネットワーク側からユーザ装置へ通知された、ユーザ装置に関するシグナル情報、例えば、確認やパワー制御、資源配分及び再配分などの資源配分に関する制御情報が存在している。ユーザ装置は、初期の上りまたは下りユーザデータの伝送を指示するためのＰＤＣＣＨ信号の情報を、成功的に復号することができれば、間欠受信非アクティビティタイマーを開始し、非アクティビティ区間に進む。さもなければ、ユーザ装置がオンデュレーション区間終了（即ち、オンデュレーション区間タイマーがタイムアウト）後に休眠期に進む。
【００１１】
２．非アクティビティ区間（ｉｎａｃｔｉｖｉｔｙ  ｔｉｍｅ）について、ユーザ装置がＰＤＣＣＨチャンネルを成功的に復号すると、ユーザ装置が間欠受信非アクティビティタイマー（ＤＲＸ  ｉｎａｃｔｉｖｉｔｙ  ｔｉｍｅｒ）を開始し、非アクティビティ区間に進む。非アクティビティ区間に、ユーザ装置がＰＤＣＣＨ及び関連する制御チャンネルをモニタリングし続ける。ユーザ装置は、間欠受信非アクティビティタイマーがタイムアウトする前に、ＰＤＣＣＨ及び関連する制御チャンネルを成功的に復号した場合に、間欠受信非アクティビティタイマーを再開し、再度に非アクティビティ区間に進む。さもなければ、ユーザ装置は、間欠受信非アクティビティタイマーがタイムアウトした後、非アクティビティ区間から休眠区間に進んで、そして、次のＤＲＸ周期に進む。
【００１２】
３．活性化区間（ａｃｔｉｖｅ  ｔｉｍｅ）について、活性化区間において、ユーザ装置がＰＤＣＣＨチャンネルをモニタリングする。オンデュレーション区間及び非アクティビティ区間のいずれかも、活性化区間に属する。
【００１３】
４．休眠区間について、ユーザ装置の受信機が休眠区間にオフ状態にある。
【００１４】
５．ＨＡＲＱ  ＲＴＴ  Ｔｉｍｅｒ（ハイブリッド自動リピート要求往復タイマー）について、ユーザ端末の予期した下り再伝送（ｒｅｔｒａｎｓｍｉｓｓｉｏｎ）が到着の最小間隔時間をタイミングするためのものである。新な下りデータの伝送を検出した場合にＨＡＲＱ  ＲＴＴ  Ｔｉｍｅｒが開始される。ＨＡＲＱ  ＲＴＴ  Ｔｉｍｅｒがタイムアウトする時に受信したデータが正しく復号されると、休眠区間に進んで、その後、次のＤＲＸ周期に進む。
【００１５】
６．ＤＲＸ  Ｒｅｔｒａｎｓｍｉｓｓｉｏｎ  Ｔｉｍｅｒ（間欠受信再伝送タイマー）について、ユーザが予期した、下り再伝送の受信にかかる時間をタイミングするためのものである。ＨＡＲＱ  ＲＴＴ  Ｔｉｍｅｒがタイマアウトし、且つ、対応するＨＡＲＱバッファエリアに成功的に復号されていないデータが存在すると、ＤＲＸ  Ｒｅｔｒａｎｓｍｉｓｓｉｏｎ  Ｔｉｍｅｒを起動し、この時に、ＰＤＣＣＨをモニタリングする必要がある。
【００１６】
７．Ｃｏｎｔｅｎｔｉｏｎ  Ｒｅｓｏｌｕｔｉｏｎ（競合解除）について、一旦、上りメッセージにＣ−ＲＮＴＩ（無線ネットワーク制御用コントローラにより割当てられた無線ネットワーク一時的識別子）ＭＡＣ制御ユニット、又は、上りメッセージにＣＣＣＨ  ＳＤＵ  （共通制御チャネル業務データユニット）が含まれると、ユーザ端末は、Ｃｏｎｔｅｎｔｉｏｎ  Ｒｅｓｏｌｕｔｉｏｎ  Ｔｉｍｅｒ（競合解除タイマー）を起動し、Ｃｏｎｔｅｎｔｉｏｎ  Ｒｅｓｏｌｕｔｉｏｎ  Ｔｉｍｅｒが、タイムアウトするまでＰＤＣＣＨをモニタリングする。競合解除の成功を示すメッセージを受信した場合に、Ｃｏｎｔｅｎｔｉｏｎ  Ｒｅｓｏｌｕｔｉｏｎ  Ｔｉｍｅｒを停止する。
【００１７】
８．ＤＲＸ  Ｓｈｏｒｔ  Ｃｙｃｌｅ  Ｔｉｍｅｒ（間欠受信短周期タイマー）について、ＤＲＸ  Ｉｎａｃｔｉｖｉｔｙ  Ｔｉｍｅｒがタイムアウトした後に、ＤＲＸ  Ｉｎａｃｔｉｖｉｔｙ  Ｔｉｍｅｒを起動する。ＤＲＸ  Ｉｎａｃｔｉｖｉｔｙ  Ｔｉｍｅｒがタイムアウトすると、長周期のＤＲＸを起動する。ユーザ装置は、Ｓｈｏｒｔ  ＤＲＸ  Ｃｙｃｌｅ（短いＤＲＸ周期）とＬｏｎｇ  ＤＲＸ  Ｃｙｃｌｅ（長いＤＲＸ周期）に配置される。Ｓｈｏｒｔ  ＤＲＸ  Ｃｙｃｌｅは選択可能なものである。Ｓｈｏｒｔ  ＤＲＸ  Ｃｙｃｌｅが配置されば、Ｓｈｏｒｔ  ＤＲＸ  Ｃｙｃｌｅに進んだ後に、ユーザ装置は、ＤＲＸ  Ｓｈｏｒｔ  Ｃｙｃｌｅ  Ｔｉｍｅｒ（短周期タイマー）がタイムアウトするときに、自分のＰＤＣＣＨパケットがモニタリングによって検出されていない場合に、Ｌｏｎｇ  ＤＲＸ  Ｃｙｃｌｅに進む。Ｓｈｏｒｔ  ＤＲＸ  Ｃｙｃｌｅが配置されていなければ、ユーザ端末は直接にＬｏｎｇ  ＤＲＸ  Ｃｙｃｌｅに進む。
【００１８】
一つのＤＲＸ  ＭＡＣ（メディアアクセス制御）制御情報ユニットを受信した場合に、基地局はユーザ端末が休眠状態に進むことを要求することを意味する。この時に、ｏｎ  Ｄｕｒａｔｉｏｎ  Ｔｉｍｅｒ  及びＤＲＸ  ｉｎａｃｔｉｖｉｔｙ  ｔｉｍｅｒを停止するが、再伝送に関連するタイマーを停止しない。
【００１９】
キャリアアグリゲーションが導入されると、移動局が同時に複数のＣＣ（キャリアユニット）を利用可能になり、ＤＲＸ運行の環境が一層複雑になる。同時に、キャリアアグリゲーションによる高電力消費の問題は、移動局及びプロトコールの設計のいずれかも巨大な挑戦を臨むようになる。移動局の電力消費を節約するための重要手段としてのＤＲＸは、キャリアアグリゲーションで、如何に有効に作動するかも、早急に解決すべき問題になる。
【発明の概要】
【発明が解決しようとする課題】
【００２０】
本発明の幾つかの側面に関する基本理解を提供するように、以下に本発明の簡要な概述が与えられた。理解すべきなのは、この概述は本発明に関する網羅性の概述ではなく、本発明のキーポイント又は重要部分を特定することも意図せず、本発明の範囲を限定することも意図しないことである。その目的は、ただ簡素化の形で幾つかの概念を与え、後の詳細な説明の前置きをとすることにある。
【００２１】
本発明は、少なくも、先行技術における技術問題を解決することを旨とする。
【課題を解決するための手段】
【００２２】
本発明の一つの側面によると、無線通信システムにおける間欠受信方法を提供し、連続キャリアアグリゲーションを採用するか、又は間欠キャリアアグリゲーションを採用するかを特定すること、連続キャリアアグリゲーションである場合に、プライマリセル及び各セカンダリセルに対して共通のオンデュレーション区間タイマー（ｏｎ  Ｄｕｒａｔｉｏｎ  Ｔｉｍｅｒ）及び／又は共通の間欠受信非アクティビティタイマー（ＤＲＸ  Ｉｎａｃｔｉｖｉｔｙ  Ｔｉｍｅｒ）を設置すること、及び、間欠キャリアアグリゲーションである場合に、プライマリセル及び各セカンダリセルに対して単独のオンデュレーション区間タイマー及び／又は単独の間欠受信非アクティビティタイマーを設置することが含まれる。
【００２３】
本発明の他の側面によると、無線通信システムにおける間欠受信方法を提供し、当該無線通信システムにおいてキャリア配置過程と分離するキャリア活性化／活性化除去操作を使用する。当該方法は、プライマリセル及び各セカンダリセルに対して共通のオンデュレーション区間タイマー（ｏｎ  Ｄｕｒａｔｉｏｎ  Ｔｉｍｅｒ）及び間欠受信非アクティビティタイマー（ＤＲＸ  Ｉｎａｃｔｉｖｉｔｙ  Ｔｉｍｅｒ）を設置することが含まれる。
【００２４】
本発明の他の側面によると、連続キャリアアグリゲーションを採用するか、又は間欠キャリアアグリゲーションを採用するかを特定するように配置された特定ユニットと、
【００２５】
連続キャリアアグリゲーションである場合に、プライマリセル及び各セカンダリセルに対して共通のオンデュレーション区間タイマー（ｏｎ  Ｄｕｒａｔｉｏｎ  Ｔｉｍｅｒ）及び／又は共通の間欠受信非アクティビティタイマー（ＤＲＸ  Ｉｎａｃｔｉｖｉｔｙ  Ｔｉｍｅｒ）を設置し、間欠キャリアアグリゲーションである場合に、プライマリセル及び各セカンダリセルに対して単独のオンデュレーション区間タイマー及び／又は単独の間欠受信非アクティビティタイマーを設置するように配置された設置ユニットとを含む移動局を提供する。
【００２６】
本発明の他の側面によると、キャリア配置過程と分離するキャリア活性化／活性化除去操作を実行するように配置された活性化／活性化除去ユニットと、プライマリセル及び各セカンダリセルに対して共通のオンデュレーション区間タイマー（ｏｎ  Ｄｕｒａｔｉｏｎ  Ｔｉｍｅｒ）及び間欠受信非アクティビティタイマー（ＤＲＸ  Ｉｎａｃｔｉｖｉｔｙ  Ｔｉｍｅｒ）を設置するように配置された設置ユニットとを含む移動局を提供する。
【００２７】
本発明のまた他の側面によると、移動局へ命令を送信し、前記移動局が以上に記載の方法を実行するように制御するための送信ユニットを含む基地局を提供する。
【００２８】
本発明のまた他の側面によると、以上に記載の移動局と以上に記載の基地局とを含む無線通信システムを提供する。
【００２９】
また、本発明の実施例は、上記方法を実現するコンピュータプログラムをさらに提供する。
【００３０】
なお、本発明の実施例は、少なくとも、コンピュータによる読み取り可能な媒体の形のコンピュータプログラム製品をさらに提供し、コンピュータプログラム製品において上記方法を実現するためのコンピュータプログロムコードが記憶されている。
【発明の効果】
【００３１】
本発明は、キャリアアグリゲーションによる間欠受信を実現することによって、移動局の電力消費を節約することができる。
【００３２】
以下の図面を結合しながら本発明の最適な実施例に対する詳細の説明によって、本発明のこれら及びその他のメリットがさらに明らかになる。
【図面の簡単な説明】
【００３３】
以下の図面を結合しがなら本発明の実施例に対する説明を参照することにより、本発明の上記またはその他の目的、特徴及びメリットをより容易に理解することができる。図面における部品は、ただ本発明の原理を示すためのものに過ぎない。図面において、同一または類似の技術的特徴または部品は、同一又は類似の符号で示される。
【００３４】
【図１】先行技術のキャリアアグリゲーションに基づく第１シーンを示す図。
【図２】先行技術のキャリアアグリゲーションに基づく第２シーンを示す図。
【図３】先行技術のキャリアアグリゲーションに基づく第３シーンを示す図。
【図４】本発明の一実施例に係る無線通信システムにおける間欠受信方法を示すフローチャートである。
【図５】本発明の他の実施例に係る無線通信システムにおける間欠受信方法を示すフローチャートである。
【図６】本発明の一実施例に係る移動局を示す模式的ブロック図である。
【図７】本発明の一実施例に係る移動局を示す模式的ブロック図である。
【図８】本発明の一実施例に係る基地局を示す模式的ブロック図である。
【図９】本発明の一実施例に係る無線通信システムを示す模式的図である。
【図１０】本発明の一実施例を実現するためのコンピュータの構造を示す模式的図である。
【発明を実施するための形態】
【００３５】
以下、図面を参照しながら本発明の実施例を説明する。本発明の一つの図面または一実施形態に記載の要素及び特徴は、一つ又はより多くのその他の図面又は実施形態に示された要素及び特徴と相互に結合することができる。なお、明瞭にするように図面及び明細書において本発明に関係しない、当業者にとって公知の部品及び処理の表示及び記載が省略されたことを注意すべきである。
【００３６】
本発明の実施例の応用シーンは、例えば図１、２、３に示される。この３つの応用シーンは、キャリアアグリゲーションの優先部署シーンであり、それらが反映するのは典型的に３つのキャリアアグリゲーションの応用実例である。図１におけるキャリアＦ１及びキャリアＦ２に対応するセルがカバーしている範囲は基本的に重なり、類似のカバー領域を提供することができる。Ｆ１とＦ２とは、同一キャリア帯域に位置する可能性があって、典型的な連続キャリアアグリゲーションである。図２及び図３の何れかも間欠キャリアアグリゲーションに対応しており、Ｆ１とＦ２とが異なるキャリア帯域にある可能性がある。Ｆ１の対応しているセルは、主にカバーパワーが保証されるが、Ｆ２の対応しているセルは、スループットを向上させるために用いられる。図２と図３の区別は、図３において、Ｆ２の対応しているセルのアンテナが、Ｆ１の対応しているセルの辺縁区を指向していることにあり、このような図３の応用シーンは、Ｆ１セルの辺縁区のスループットを極大に向上させることができる。
【００３７】
図４は本発明に係る実施例の無線通信システムにおける間欠受信方法を示すフローチャートである。当該無線通信システムはキャリアアグリゲーションを利用可能なものである。アグリゲートされたキャリアの周波数スペクトルでの位置によっては、連続キャリアアグリゲーションと間欠キャリアアグリゲーションとに分けられる。連続キャリアアグリゲーションにおいて、アグリゲートするための各キャリアユニットが周波数スペクトルで連続しているものである。一方、間欠キャリアアグリゲーションにおいて、アグリゲートするための各キャリアユニットが周波数スペクトルで間欠しているものである。
【００３８】
ステップ４０２において、連続キャリアアグリゲーションを採用するか、または間欠キャリアアグリゲーションを採用するかを特定する。連続キャリアアグリゲーションである場合には、ステップ４０４に進む。間欠キャリアアグリゲーションである場合には、ステップ４０６に進む。ステップ４０４において、プライマリセル及び各セカンダリセルに対して、共通のオンデュレーション区間タイマー（ｏｎ  Ｄｕｒａｔｉｏｎ  Ｔｉｍｅｒ）及び／又は間欠受信非アクティビティタイマー（ＤＲＸ  Ｉｎａｃｔｉｖｉｔｙ  Ｔｉｍｅｒ）を設置する。ステップ４０６において、プライマリセル及び各セカンダリセルに対して、単独のオンデュレーション区間タイマー及び／又は単独の間欠受信非アクティビティタイマーを設置する。
【００３９】
一つの例において、ステップ４０２では、基地局からのシグナルに基づいて、移動局が連続キャリアアグリゲーションを採用するか、または間欠キャリアアグリゲーションを採用するかを特定することができる。ステップ４０４及び４０６において、基地局からのシグナルに基づいてタイマーの設置を行ってもよい。
【００４０】
連続キャリアアグリゲーションは、アグリゲートされたキャリアが同一の周波数スペクトルに位置しているため、カバー範囲が基本的に同じである。従って、プライマリセル及び各セカンダリセルに対して、共通のオンデュレーション区間タイマー及び／又は間欠受信非アクティビティタイマーを設置することができる。間欠キャリアアグリゲーションは、アグリゲートされたキャリアが異なる周波数スペクトルに位置しているため、異なる伝播特性を有する。従って、プライマリセル及び各セカンダリセルに対して、単独のオンデュレーション区間タイマー及び／又は単独の間欠受信非アクティビティタイマーを設置することができる。
【００４１】
以下に、ＰｃｅｌｌにおけるＤＲＸとＳｃｅｌｌにおけるＤＲＸとを個別に考慮する。
【００４２】
一、ＰｃｅｌｌにおけるＤＲＸ
【００４３】
以下の説明における、先行技術（例えばＬＴＥ  Ｒｅｌ−８規格）と同一な部分に対する説明を省略し、先行技術と異なるところのみを説明する。以下、ＤＲＸ操作とＤＲＸパラメータ配置とに分けてそれぞれ説明する。
【００４４】
１．ＤＲＸ操作
【００４５】
一つの例では、連続キャリアアグリゲーションのシーンにおいて、ｃｒｏｓｓ−ｓｃｈｅｄｕｌｉｎｇ（クロススケジューリング、即ち、あるセルにおけるＰＤＣＣＨにおいてその他のセルにおけるデータ伝送ＰＤＣＣＨを指示すること）が存在するため、ＰｃｅｌｌにおけるＰＤＣＣＨがその他のＳｃｅｌｌでの新たなデータ伝送の指示を受信した場合に、依然として、Ｐｃｅｌｌにおける当該タイマーを開始又はリセットする必要がある。例えば、Ｐｃｅｌｌが、キャリア識別フィールド（ＣＩＦ：Ｃａｒｒｉｅｒ  Ｉｎｄｉｃａｔｏｒ  Ｆｉｅｌｄ）を含む下り伝送割当指示または上り伝送授権を受信した場合に、ＰｃｅｌｌにおけるＤＲＸ  Ｉｎａｃｔｉｖｉｔｙ  Ｔｉｍｅｒを開始またはリセットするとともに、キャリア識別フィールドに対応するＳｃｅｌｌに、自己のＤＲＸ  Ｉｎａｃｔｉｖｉｔｙ  Ｔｉｍｅｒを開始またはリセットすることを選択可能に通知することができる。ＰｃｅｌｌにおけるＰＤＣＣＨが、キャリア識別フィールド（ＣＩＦ：Ｃａｒｒｉｅｒ  Ｉｎｄｉｃａｔｏｒ  Ｆｉｅｌｄ）が含まれていない下り伝送割当指示または上り伝送上り伝送授権を受信した場合に、Ｐｃｅｌｌにおける当該タイマーのみを開始またはリセットすることができる。
【００４６】
Ｃｏｎｔｅｎｔｉｏｎ  Ｒｅｓｏｌｕｔｉｏｎ  Ｔｉｍｅｒに対する処理について、一つの例においては、Ｐｃｅｌｌのみにおいて競合解除成功を示すメッセージを受信した場合に、Ｐｃｅｌｌと各Ｓｃｅｌｌとに単独のＣｏｎｔｅｎｔｉｏｎ  Ｒｅｓｏｌｕｔｉｏｎ  Ｔｉｍｅｒを設置し、さもなければ、Ｐｃｅｌｌと各Ｓｃｅｌｌに共通のＣｏｎｔｅｎｔｉｏｎ  Ｒｅｓｏｌｕｔｉｏｎ  Ｔｉｍｅｒを設置する。一つの例においては、無線通信システムにおいて、Ｐｃｅｌｌのみにおいて競合解除成功を示すメッセージを受信すれば、競合解除成功を示すメッセージを受信した場合に、プライマリセルの競合解除タイマー（Ｃｏｎｔｅｎｔｉｏｎ  Ｒｅｓｏｌｕｔｉｏｎ  Ｔｉｍｅｒ）を停止し、このとき、ＳｃｅｌｌのＣｏｎｔｅｎｔｉｏｎ  Ｒｅｓｏｌｕｔｉｏｎ  Ｔｉｍｅｒに影響を与えない。Ｐｃｅｌｌにおける当該タイマーがタイムアウトしていなければ、ＰｃｅｌｌにおけるＰＤＣＣＨをモニタリングする。一つの例では、無線通信システムにおいて競合解除メッセージ（例えば、競争によるランダムアクセス過程における競合解除メッセージ（Ｍｓｇ４，  ｃｏｎｔｅｎｔｉｏｎ  ｒｅｓｏｌｕｔｉｏｎ  ｍｅｓｓａｇｅ））がＰｃｅｌｌのみにおいて送信されることは規定されなければ、ＰｃｅｌｌのＣｏｎｔｅｎｔｉｏｎ  Ｒｅｓｏｌｕｔｉｏｎ  Ｔｉｍｅｒを起動する同時に、Ｓｃｅｌｌ  Ｃｏｎｔｅｎｔｉｏｎ  Ｒｅｓｏｌｕｔｉｏｎ  Ｔｉｍｅｒを起動する。Ｐｃｅｌｌまたは何れかのＳｃｅｌｌにおいて競合解除成功を示すメッセージを受信した場合に、Ｐｃｅｌｌ及びＳｃｅｌｌのＣｏｎｔｅｎｔｉｏｎ  Ｒｅｓｏｌｕｔｉｏｎ  Ｔｉｍｅｒを停止する。例えば、ＰｃｅｌｌにおいてはＣｏｎｔｅｎｔｉｏｎ  Ｒｅｓｏｌｕｔｉｏｎ  Ｔｉｍｅｒを起動する時（起動は最初にＰｃｅｌｌで発生する）、Ｓｃｅｌｌにその相応のＣｏｎｔｅｎｔｉｏｎ  Ｒｅｓｏｌｕｔｉｏｎ  Ｔｉｍｅｒの起動を示すメッセージを送信し、Ｓｃｅｌｌが当該メッセージを受信した後、夫々のＣｏｎｔｅｎｔｉｏｎ  Ｒｅｓｏｌｕｔｉｏｎ  Ｔｉｍｅｒを起動する。ＰｃｅｌｌまたはいずれかのＳｃｅｌｌにおいて競合解除成功を示すメッセージを受信した場合に、当該セルにおけるＣｏｎｔｅｎｔｉｏｎ  Ｒｅｓｏｌｕｔｉｏｎ  Ｔｉｍｅｒを停止するとともに、その他のセルに相応のＣｏｎｔｅｎｔｉｏｎ  Ｒｅｓｏｌｕｔｉｏｎ  Ｔｉｍｅｒ停止のメッセージを送信する。その他のセルが当該Ｃｏｎｔｅｎｔｉｏｎ  Ｒｅｓｏｌｕｔｉｏｎ  Ｔｉｍｅｒ停止のメッセージを受信した場合に、夫々のＣｏｎｔｅｎｔｉｏｎ  Ｒｅｓｏｌｕｔｉｏｎ  Ｔｉｍｅｒを停止する。  
【００４７】
ＤＲＸ  Ｒｅｔｒａｎｓｍｉｓｓｉｏｎ  Ｔｉｍｅｒに対する処理について、キャリアアグリゲーションにおいて、キャリアユニットのそれぞれが独立のＨＡＲＱエンティティに対応することを考慮すると、Ｐｃｅｌｌにおける再伝送によってＳｃｅｌｌがＰＤＣＣＨをモニタリングすることにならない。従って、ＰｃｅｌｌでのＤＲＸ  Ｒｅｔｒａｎｓｍｉｓｓｉｏｎ  Ｔｉｍｅｒに対する操作は、ＳｃｅｌｌにおけるＤＲＸ  Ｒｅｔｒａｎｓｍｉｓｓｉｏｎ  Ｔｉｍｅｒの操作に影響しない。Ｓｃｅｌｌ間のＤＲＸ  Ｒｅｔｒａｎｓｍｉｓｓｉｏｎ  Ｔｉｍｅｒに対する処理は、相互に独立している。ＳｃｅｌｌにおけるＤＲＸ  Ｒｅｔｒａｎｓｍｉｓｓｉｏｎ  Ｔｉｍｅｒの開始またはタイムアウトは、その他のＳｃｅｌｌにおける当該タイマー操作に影響しない。Ｐｃｅｌｌ及び各Ｓｃｅｌｌに対して、それぞれ、単独なＤＲＸ  Ｒｅｔｒａｎｓｍｉｓｓｉｏｎ  Ｔｉｍｅｒを設置しても良い。
【００４８】
ＤＲＸ  Ｓｈｏｒｔ  Ｃｙｃｌｅ  Ｔｉｍｅｒに対する処理について、Ｐｃｅｌｌはキャリアアグリゲーションにおいて重要な地位があるため、それにおけるデータ伝送は比較的頻繁に行われる可能性がある。ＤＲＸ  Ｓｈｏｒｔ  Ｃｙｃｌｅ  Ｔｉｍｅｒの設置が不合理であれば、移動局が不合理的に長周期ＤＲＸに進んでデータを紛失してしまい、またはサービス質に影響する恐れがある。よって、ここでの一つの例において、ＰｃｅｌｌにおけるＤＲＸに対し、ＤＲＸ  Ｓｈｏｒｔ  Ｃｙｃｌｅ  Ｔｉｍｅｒがタイムアウトしても、長周期ＤＲＸに進むことはない。
【００４９】
２．ＤＲＸパラメータ配置
【００５０】
以下、ＤＲＸパラメータ配置を説明し、先行技術のＬＴＥ  Ｒｅｌ−８と同一の部分の説明が省略される。
【００５１】
一つの例では、連続キャリアアグリゲーションである場合に、プライマリセル及び各セカンダリセルのＤＲＸパラメータに同じ値を設置することができる。注意すべきなのは、「同じ値設置」とはプライマリセル及びセカンダリセルの何れかも有する同一パラメータに同じ値を設置することを指すことである。幾つかの場合に、プライマリセルがあるパラメータ、例えば、Ｌｏｎｇ  ＤＲＸ  ｃｙｃｌｅを有しない可能性があるが、セカンダリセルが当該パラメータを有する可能性がある。この解釈は、以下にも適用される。間欠キャリアアグリゲーションである場合に、連続キャリアアグリゲーションである場合に、プライマリセル及び各セカンダリセルのＤＲＸパラメータに異なる値を設置することができる。
【００５２】
ＤＲＸ  Ｉｎａｃｔｉｖｉｔｙ  Ｔｉｍｅｒについて、一つの例において、移動局の伝送すべきデータ量、移動局の所在の位置、移動速度、信号品質及びＰｃｅｌｌのカバー範囲等の条件のうち、一種または多種に基づいて当該パラメータの設置を動的に調整しても良い。  移動局の伝送すべきデータ量が比較的小さい場合や基地局に近い場合、信号品質が比較的よい場合、移動速度がカバー範囲に対して比較的小さい場合のうち、少なくとも一種の場合に、当該パラメータは比較的小さく設置されてもよい。逆に、当該パラメータは比較的大きく設置されてもよい。
【００５３】
ＤＲＸ  Ｓｈｏｒｔ  Ｃｙｃｌｅ  Ｔｉｍｅｒについて、一つの例では、Ｐｃｅｌｌには長周期ＤＲＸが存在しないため、当該値の大きさの設置はＰｃｅｌｌのＤＲＸ性能に関係しなくてもよい。
【００５４】
Ｌｏｎｇ  ＤＲＸ  ｃｙｃｌｅについて、一つの例では、Ｐｃｅｌｌには長周期ＤＲＸが存在しないため、当該値を配置しなくてもよい。
【００５５】
Ｏｎ  Ｄｕｒａｔｉｏｎ  Ｔｉｍｅｒについて、一つの例では、移動局の伝送すべきデータ量、所在の位置、移動速度、信号品質、Ｐｃｅｌｌのカバー範囲等の条件のうち、一種又は多種に基づいて当該パラメータの設置を動的に調整しても良い。移動局の伝送すべきデータ量が比較的小さい場合や基地局に近い場合、信号品質が比較的良い場合、移動速度がカバー範囲に対して比較的小さい場合のうち、少なくとも一つの場合に、当該パラメータは、比較的小さく設置されてもよい。逆に、当該パラメータは、比較的大きく設置されてもよい。
【００５６】
ＤＲＸ  Ｃｙｃｌｅについて、一つの例では、移動局の伝送すべきデータ量、所在の位置、移動速度、信号品質、Ｐｃｅｌｌのカバー範囲等の条件のうち、一種又は多種に基づいて当該パラメータの設置を動的に調整しても良い。移動局の伝送すべきデータ量が比較的小さい場合や基地局に近い場合、信号品質が比較的良い場合、移動速度がカバー範囲に対して比較的小さい場合のうち、少なくとも一つの場合に、当該パラメータは、比較的大きく設置されてもよい。逆に、当該パラメータは、比較的小さく設置されてもよい。
【００５７】
ＣＱＩ／ＰＭＩ／ＲＩ（チャンネル品質指示／プリコーディング行列インディクス／ランク指示）のレポートについて、先行技術としてのＬＴＥ  Ｒｅｌ−８において、これらのフィードバックレポートの送信時間帯は配置可能なものであり、例えば、ａｃｔｉｖｅ  ｔｉｍｅまたはｏｎ  ｄｕｒａｔｉｏｎ時間帯で選択的に送信を行うことができる。Ｐｃｅｌｌの性能がキャリアアグリゲーションの全体性能に影響が大きいため、タイムリーにフィードバックレポートを取得するのは非常に重要である。従って、本実施例としての一つの例において、Ｐｃｅｌｌにおいて、活性化区間（ａｃｔｉｖｅ−ｔｉｍｅ）中であれば、これらのフィードバックレポートを周期的に送信する。
【００５８】
二、ＳｃｅｌｌにおけるＤＲＸ
【００５９】
以下の説明においては、先行技術（例えばＬＴＥ  Ｒｅｌ−８規格）における同一部分の説明を省略し、先行技術と異なるところのみを説明する。以下、ＤＲＸ操作とＤＲＸパラメータ配置とに分けて、それぞれ説明する。各ＳｃｅｌｌにおけるＤＲＸ操作は独立に行われる。各ＤＲＸパラメータは、異なるシーンによって、同一または異なってもよい。
【００６０】
１．ＤＲＸ操作
【００６１】
一つの例では、キャリアアグリゲーションにおいて、ｃｒｏｓｓ−ｓｃｈｅｄｕｌｉｎｇが存在する場合に、ＳｃｅｌｌにはＰＤＣＣＨが配置されなければ、当該ＳｃｅｌｌにはＤＲＸがない。当該ＳｃｅｌｌにおいてＤＲＸ配置を行わなくてもよい。
【００６２】
一つの例では、Ｓｃｅｌｌがキャリア識別フィールド（ＣＩＦ：Ｃａｒｒｉｅｒ  Ｉｎｄｉｃａｔｏｒ  Ｆｉｅｌｄ）を含む下り伝送割当指示または上り伝送授権を受信した場合に、当該ＳｃｅｌｌのＤＲＸ  Ｉｎａｃｔｉｖｉｔｙ  Ｔｉｍｅｒを開始またはリセットするとともに、キャリア識別フィールドに対応するセルに、自身のＤＲＸ  Ｉｎａｃｔｉｖｉｔｙ  Ｔｉｍｅｒを開始またはリセットすることを選択可能に通知することができる。Ｓｃｅｌｌがキャリア識別フィールドが含まれていない下り伝送割当指示または上り伝送上り伝送授権を受信した場合に、ＳｃｅｌｌにおけるＤＲＸ  Ｉｎａｃｔｉｖｉｔｙ  Ｔｉｍｅｒのみを開始またはリセットする。
【００６３】
一つの例では、キャリアアグリゲーションにおいて、Ｓｃｅｌｌが、Ｐｃｅｌｌから送信されたＣｏｎｔｅｎｔｉｏｎ  Ｒｅｓｏｌｕｔｉｏｎ  Ｔｉｍｅｒ起動のメッセージを受信した場合に、当該タイマーを起動すると共に、ＳｃｅｌｌにおけるＰＤＣＣＨをモニタリングする。Ｐｃｅｌｌまたはその他Ｓｃｅｌｌから送信されたＣｏｎｔｅｎｔｉｏｎ  Ｒｅｓｏｌｕｔｉｏｎ  Ｔｉｍｅｒ停止のメッセージを受信した場合に、Ｃｏｎｔｅｎｔｉｏｎ  Ｒｅｓｏｌｕｔｉｏｎ  Ｔｉｍｅｒを停止する。Ｓｃｅｌｌは、競合解決成功を示すメッセージを受信した場合に、Ｃｏｎｔｅｎｔｉｏｎ  Ｒｅｓｏｌｕｔｉｏｎ  Ｔｉｍｅｒを停止するとともに、Ｐｃｅｌｌ及びその他のＳｃｅｌｌにその対応するＣｏｎｔｅｎｔｉｏｎ  Ｒｅｓｏｌｕｔｉｏｎ  Ｔｉｍｅｒを停止することを通知する。
【００６４】
一つの例では、Ｓｃｅｌｌ間はＤＲＸ  Ｒｅｔｒａｎｓｍｉｓｓｉｏｎ  Ｔｉｍｅｒに対する処理も相互に独立なものである。
【００６５】
２．ＤＲＸパラメータ配置
【００６６】
以下、ＤＲＸパラメータ配置を説明する。先行技術のＬＴＥ  Ｒｅｌ−８と同一の部分の説明が省略される。ＤＲＸパラメータは、ＤＲＸにおいて各タイマー（例えば、ＤＲＸ  Ｉｎａｃｔｉｖｉｔｙ  Ｔｉｍｅｒ，  ＤＲＸ  Ｓｈｏｒｔ  Ｃｙｃｌｅ  Ｔｉｍｅｒ  ，  Ｏｎ  Ｄｕｒａｔｉｏｎ  Ｔｉｍｅｒ）のタイムアウト時間、ＤＲＸ  ｃｙｃｌｅ（ＤＲＸ  周期）の時間長さ及びフィードバックレポートの周期を含んでも良い。以下の説明において、あるタイマーのタイムアウトの時間は、当該タイマーとも略称される。
【００６７】
一つの例では、所在のシーンによって、ＳｃｅｌｌとＰｃｅｌｌ及び各Ｓｃｅｌｌ間のパラメータは同一または異なってもよい。以下に、異なるシーンにおけるパラメータ配置ポリシーが与えられる。
【００６８】
移動局は連続キャリアアグリゲーションのシーンにある場合に、図１のように、移動局の位置が特定されており、且つ、各キャリアのカバー範囲が同一であるため、ＰｃｅｌｌまたはＳｃｅｌｌの絶対信号品質は如何にしても、その相対信号品質は一致するため、Ｓｃｅｌｌ及びＰｃｅｌｌのＤＲＸパラメータ配置は同一であってもよく、Ｐｃｅｌｌ及びＳｃｅｌｌのそれぞれのＤＲＸパラメータに異なる値を設置する必要がない。
【００６９】
移動局は間欠キャリアアグリゲーションのシーンにある場合に、図２及び図３のように、各キャリアのカバー範囲が異なるため、移動局はＰｃｅｌｌの品質の良い信号によってカバーされても、必ずしもＳｃｅｌｌの品質の良い信号によってカバーされるわけではない。従って、ＳｃｅｌｌとＰｃｅｌｌ及び各Ｓｃｅｌｌ間のパラメータの配置は、区別することが好ましい。ネットワークの部署情況及び移動局の位置により、ＤＲＸパラメータを単独に設置することができる。
【００７０】
ＤＲＸ  Ｉｎａｃｔｉｖｉｔｙ  Ｔｉｍｅｒについて、移動局の伝送すべきデータ量、所在の位置、移動速度、信号品質及びＳｃｅｌｌのカバー範囲等の条件のうち、一種または多種に基づいて当該パラメータの設置を動的に調整しても良い。移動局の伝送すべきデータ量が比較的小さい場合や基地局に近い場合、信号品質が比較的よい場合、移動速度がカバー範囲に対して比較的小さい場合のうち、少なくとも一種の場合に、当該パラメータは比較的小さく設置されてもよい。逆に、当該パラメータは比較的大きく設置されてもよい。
【００７１】
ＤＲＸ  Ｓｈｏｒｔ  Ｃｙｃｌｅ  Ｔｉｍｅｒ  について、移動局の伝送すべきデータ量、所在の位置、移動速度、信号品質及びＳｃｅｌｌのカバー範囲等の条件のうち、一種または多種に基づいて当該パラメータの設置を動的に調整しても良い。移動局の伝送すべきデータ量が比較的小さい場合や基地局に近い場合、信号品質が比較的よい場合、移動速度がカバー範囲に対して比較的小さい場合のうち、少なくとも一種の場合に、当該パラメータは比較的小さく設置されてもよい。逆に、当該パラメータは比較的大きく設置されてもよい。
【００７２】
Ｏｎ  Ｄｕｒａｔｉｏｎ  Ｔｉｍｅｒについて、移動局の伝送すべきデータ量、所在の位置、移動速度、信号品質及びＰｃｅｌｌのカバー範囲等の条件のうち、一種または多種に基づいて当該パラメータの設置を動的に調整しても良い。移動局の伝送すべきデータ量が比較的小さい場合や基地局に近い場合、信号品質が比較的よい場合、移動速度がカバー範囲に対して比較的小さい場合のうち、少なくとも一種の場合に、当該パラメータは比較的小さく設置されてもよい。逆に、当該パラメータは比較的大きく設置されてもよい。
【００７３】
ＤＲＸ  Ｃｙｃｌｅについて、移動局の伝送すべきデータ量、移動局の所在の位置、移動速度、信号品質及びＰｃｅｌｌのカバー範囲等の条件のうち、一種または多種に基づいて当該パラメータの設置を動的に調整しても良い。移動局の伝送すべきデータ量が比較的小さい場合や基地局に近い場合、信号品質が比較的よい場合、移動速度がカバー範囲に対して比較的小さい場合のうち、少なくとも一種の場合に、当該パラメータは比較的大きく設置されてもよい。逆に、当該パラメータは比較的小さく設置されてもよい。
【００７４】
ＣＱＩ／ＰＭＩ／ＲＩのレポートについて、先行技術としてのＬＴＥ  Ｒｅｌ−８において、これらのフィードバックレポートの送信時間帯は配置可能なものである（ａｃｔｉｖｅ  ｔｉｍｅまたはｏｎ  ｄｕｒａｔｉｏｎ時間帯で選択的に送信を行うことができる。これらのレポートは、伝送品質要求を満たしていないＳｃｅｌｌの削除にとって非常に重要なものである。従って、Ｓｃｅｌｌの信号品質に基づいて動的に調整する必要がある。一つの例において、Ｓｃｅｌｌの信号品質が比較的不良であれば、ａｃｔｉｖｅ  ｔｉｍｅ時間帯にフィードバックレポートを周期的に送信する必要がある。さもなければ、ｏｎ  −ｄｕｒａｔｉｏｎ時間帯のみにフィードバックレポートを周期的に送信する。
【００７５】
図５は、本発明の他の一実施例に係る無線通信システムにおける間欠受信方法を示すフローチャートである。当該無線通信システムはキャリアアグリゲーションを利用可能なものである。当該無線通信システムにおいて、キャリア配置過程と互いに分離するキャリア活性化／活性化除去操作を使用する。
【００７６】
図５にステップ５０２を含む。ステップ５０２において、プライマリセル及び各セカンダリセルに対して共通のオンデュレーション区間タイマー（ｏｎ  Ｄｕｒａｔｉｏｎ  Ｔｉｍｅｒ）及び／又は共通の間欠受信非アクティビティタイマー（ＤＲＸ  Ｉｎａｃｔｉｖｉｔｙ  Ｔｉｍｅｒ）を設置する。
【００７７】
あるキャリアはあるタイミングに使用される必要がない場合に、当該キャリアに対しては、活性化除去を選択することができるが、それを未配置状態に設置しない。このようにすると当該キャリアを再使用するときに、当該キャリアを再活性化すればよく、新たに配置する必要がない。このようにすると、頻繁配置によるシナリング消耗を節約することができるだけではなく、活性化する必要のあるキャリアユニットを活発に選択することもできる。よって、移動局による電力消費をさらに低減することができる。活性化／活性化除去命令を結合して、キャリアアグリゲーション場合のＤＲＸの複雑性を低減することができる。キャリア配置過程と分離するキャリア活性化／活性化除去操作を使用する無線通信システムにおいて、プライマリセル及び各セカンダリセルに対して、共通のオンデュレーション区間タイマー及び／又は共通の間欠非アクティビティタイマーを設置することができる。
【００７８】
一つの例では、Ｐｃｅｌｌのみにおいて、競合解決成功を示すメッセージを受信した場合に、Ｐｃｅｌｌ及び各Ｓｃｅｌｌに対して、単独のＣｏｎｔｅｎｔｉｏｎ  Ｒｅｓｏｌｕｔｉｏｎ  Ｔｉｍｅｒを設置する。さもなければ、Ｐｃｅｌｌ及び各Ｓｃｅｌｌに対して、共通のＣｏｎｔｅｎｔｉｏｎ  Ｒｅｓｏｌｕｔｉｏｎ  Ｔｉｍｅｒを設置する。
【００７９】
一つの例では、Ｐｃｅｌｌ及び各Ｓｃｅｌｌに対して単独のＤＲＸ  Ｒｅｔｒａｎｓｍｉｓｓｉｏｎ  Ｔｉｍｅｒを設置しても良い。
【００８０】
一つの例において、Ｐｃｅｌｌ及び各ＳｃｅｌｌのＤＲＸパラメータに同じ値を設置しても良い。
【００８１】
一つの例において、伝送すべきデータ量、移動局の所在の位置、移動速度、信号品質及びキャリアカバー範囲等の条件のうち、一つまたは複数に基づいて、ある又は幾つかのセルを必要しない時に、当該セルに対して活性化除去した後に、当該セルにおけるＤＲＸ過程もそれに伴って中止する。このときに、当該セルに対応するＰＤＣＣＨをモニタリングする必要がない。必要に応じて、ある又は幾つかのセルを再活性化した後に、この時、ＤＲＸ運行規則に従って当該セルに対応する物理下り制御チャンネルをモニタリングする必要があるか否かを判断し、当該セルに対応する物理下り制御チャンネルをモニタリングする必要があると判断された場合に、当該セルに対応する物理下り制御チャンネルをモニタリングする。
【００８２】
注意すべきなのは、図４に示すような実施例が同様に、活性化／活性化除去過程を有するＤＲＸの無線通信システムにも適用されることである。
【００８３】
図６は、本発明の一実施例に係る移動局６００を示す模式的なブロック図である。移動局６００は、連続キャリアアグリゲーションを採用するか、または間欠キャリアアグリゲーションを採用するかを特定するように配置された特定ユニット６０２と、連続キャリアアグリゲーションである場合に、プライマリセル及び各セカンダリセルに対して共通のオンデュレーション区間タイマー及び／又は共通の間欠受信非アクティビティタイマーを設置し、及び、間欠キャリアアグリゲーションである場合に、プライマリセル及び各セカンダリセルに対して単独のオンデュレーション区間タイマー及び／又は単独の間欠受信非アクティビティタイマーを設置するように配置された設置ユニット６０４とを含む。
【００８４】
一つの例において、移動局６００は、受信ユニット（図示せず）をさらに、含む。受信ユニットは、プライマリセルに対する物理下り制御チャンネルにおいて当該セルまたはその他のセカンダリセルにおける新たなデータ伝送の指示を受信した場合に、設置ユニット６０４  が当該プライマリセルの間欠受信非アクティビティタイマーを開始又はリセットする。
【００８５】
一つの例では、受信ユニットがプライマリセル又はセカンダリセルにおいてキャリア識別フィールドを含む下り伝送割当指示又は上り伝送授権を受信した場合に、設置ユニット６０４が、当該プライマリセル又は当該セカンダリセルに対する間欠受信非アクティビティタイマーを開始又はリセットするとともに、キャリア識別フィールドに対応するセルに対する間欠受信非アクティビティタイマーを開始又はリセットする。受信ユニットが、プライマリセル又はセカンダリセルにおいて、キャリア識別フィールドが含まれていない下り伝送割当指示又は上り伝送授権を受信した時に、設置ユニット６０４は、当該プライマリセル又は当該セカンダリセルに対する間欠受信非アクティビティタイマーのみを開始又はリセットする。
【００８６】
一つの例では、移動局６００は、受信ユニット（図示せず）をさらに、含む。受信ユニットがプライマリセルのみで競合解決成功を示すメッセージを受信した場合に、設置ユニット６０４は、プライマリセル及び各セカンダリセルに単独の競合解決タイマーを設置する。さもなければ、プライマリセル及び各セカンダリセルに共通の競合解決タイマー設置ユニットを設置する。
【００８７】
一つの例では、移動局６００は、受信ユニット（図示せず）をさらに、含む。受信ユニットがプライマリセルのみで競合解決成功を示すメッセージを受信した場合に、受信ユニットは、競合解決成功を示すメッセージを受信した場合に、設置ユニット６０４がプライマリセルの競合解決タイマー（  Ｃｏｎｔｅｎｔｉｏｎ  Ｒｅｓｏｌｕｔｉｏｎ  Ｔｉｍｅｒ）を停止する。受信ユニットは、競合解決成功を示すメッセージを受信したのがプライマリセルだけではない場合に、設置ユニット６０４が、プライマリセルの競合解決タイマーを起動する時に、セカンダリセルの競合解決タイマーも起動する。受信ユニットがプライマリセル又はいずれかのセカンダリセルにおいて競合解決成功を示すメッセージを受信した場合に、設置ユニット６０４がプライマリセル及びセカンダリセルの競合解決タイマーを停止する。選択可能的には、設置ユニット６０４がプライマリセルからセカンダリセルへ競合解決タイマーを起動させるメッセージを送信し、セカンダリセルにおいてプライマリセルから送信された、競合解決タイマーを起動させるメッセージを受信した場合に、設置ユニット６０４がセカンダリセルの競合解決タイマーを起動する。受信ユニットがプライマリセル又はいずれかのセカンダリセルにおいて競合解決成功を示すメッセージを受信した場合に、設置ユニット６０４が当該セルの競合解決タイマーを停止するとともに、その他のセルへ各自セルの競合解決タイマー停止のメッセージを送信し、その他のセルが当該メッセージを受信した場合に、設置ユニット６０４が各自のセルの競合解決タイマーを停止する。
【００８８】
一つの例では、設置ユニット６０４は、プライマリセル及び各セカンダリセルに対して単独の間欠受信再伝送タイマーを設置する。
【００８９】
一つの例では、設置ユニット６０４は、連続キャリアアグリゲーションである場合に、プライマリセル及び各セカンダリセルの間欠受信パラメータに同じ値を設置し、間欠キャリアアグリゲーションである場合に、プライマリセル及び各セカンダリセルの間欠受信パラメータに異なる値を設置する。
【００９０】
一つの例では、設置ユニット６０４は、プライマリセルに対する間欠受信短周期タイマーがタイムアウトした場合に、依然として、移動局を短周期間欠受信状態に進ませる。
【００９１】
一つの例では、設置ユニット６０４は、伝送すべきデータ量が比較的小さい場合や基地局に近い場合、信号品質が比較的よい場合、又は移動局の移動速度がセルのカバー範囲に対して比較的小さい場合のうち、少なくとも一つの場合に、当該セルに対する間欠受信非アクティビティタイマーのタイムアウト時間値及び／又は当該セルに対するオンデュレーション区間タイマーのタイムアウト時間値を比較的小さく設置し、及び／又は当該セルに対する間欠受信周期を比較的大きく設置する。
【００９２】
一つの例では、設置ユニット６０４は、プライマリセルの間欠受信性能に関係なく、プライマリセルに対する間欠受信短周期タイマーのタイムアウト時間値を設置する。
【００９３】
一つの例において、設置ユニット６０４は、プライマリセルに対する間欠受信長周期タイマーを設置しない。
【００９４】
一つの例では、移動局は活性化時間帯においてのみ、プライマリセルに対するフィードバックレポートを周期的に送信するように配置されたフィードバックレポート送信ユニット（図示せず）をさらに、含む。
【００９５】
一つの例では、移動局は、フィードバックレポート送信ユニット（図示せず）をさらに、含む。なお、フィードバックレポート送信ユニットは、セカンダリセルの信号品質が比較的不良である場合に、活性化時間帯においてのみ、プライマリセルに対するフィードバックレポートを周期的に送信する。さもなければ、オンデュレーション区間（ｏｎ  ｄｕｒａｔｉｏｎ  ）時間帯のみで当該セカンダリセルに対するフィードバックレポートを送信する。
【００９６】
一つの例では、設置ユニット６０４は、物理下り制御チャンネルが配置されていないセカンダリセルに対して、間欠受信の配置を行わない。
【００９７】
一つの例では、伝送すべきデータ量が比較的小さい場合や基地局に近い場合、信号品質が比較的よい場合、又は移動局の移動速度がセルのカバー範囲に対して比較的小さい場合のうち、少なくとも一つの場合に、設置ユニット６０４が、当該セカンダリセルに対する間欠受信短周期タイマーを比較的小さく設置する。
【００９８】
移動局６００の各部品の機能及び操作について、図４を結合して説明した本発明の実施例を参照することができ、ここで、説明を重複しない。
【００９９】
図７は、本発明の一実施例に係る移動局７００を示す模式的ブロック図である。移動局７００は、キャリア配置過程と分離するキャリア活性化／活性化除去操作を実行するように配置された活性化／活性化除去ユニット７０２と、プライマリセル及び各セカンダリセルに対して共通のオンデュレーション区間タイマー（ｏｎ  Ｄｕｒａｔｉｏｎ  Ｔｉｍｅｒ）及び／又は間欠受信非アクティビティタイマー（ＤＲＸ  Ｉｎａｃｔｉｖｉｔｙ  Ｔｉｍｅｒ）を設置するように配置された設置ユニット７０４とを含む。
【０１００】
一つの例では、移動局７００は、受信ユニット（図示せず）をさらに、含む。受信ユニットがプライマリセルのみで競合解決成功を示すメッセージを受信すれば、設置ユニット７０４が、プライマリセル及び各セカンダリセルに対してそれぞれ、単独の競合解決タイマーを使用する。さもなければ、プライマリセル及び各セカンダリセルに対して共通の競合解決タイマーを設置する。
【０１０１】
一つの例では、設置ユニット７０４が、プライマリセル及び各セカンダリセルに、単独の間欠受信再伝送タイマー（ＤＲＸ  Ｒｅｔｒａｎｓｍｉｓｓｉｏｎ  Ｔｉｍｅｒ）を設置する。
【０１０２】
一つの例では、設置ユニット７０４が、プライマリセル及び各セカンダリセルの間欠受信パラメータに同じ値を設置する。
【０１０３】
一つの例では、移動局７００は、受信ユニット（図示せず）をさらに、含む。活性化／活性化除去ユニット７０２においてセルに対して活性化除去操作を行った後に、受信ユニットは、当該セルに対応する物理下り制御チャンネルのモニタを止める。そして、活性化／活性化除去ユニットは活性化除去操作が実行されたセルに対して新たに活性化操作を行った後に、設置ユニット７０４が、間欠受信運行規則に従って、当該セルに対応する物理下り制御チャンネルをモニタリングする必要があるか否かを判断し、当該セルに対応する物理下り制御チャンネルをモニタリングする必要があると判断される場合に、受信ユニットが当該セルに対応する物理下り制御チャンネルをモニタリングする。
【０１０４】
上記に、主として移動局の角度から本発明の実施例を説明した。当業者は、図４−７の説明を結合した本発明の実施例の方法中のステップは、移動局が、基地局による制御を基にして行ったものであってもよいことが理解すべきである。
【０１０５】
移動局７００の各部品の機能及び操作について、図５を結合して説明した本発明の実施例を参照することができ、ここで説明を重複しない。
【０１０６】
図８は、本発明の一実施例に係る基地局８００を示す模式的ブロック図である。基地局８００は、移動局へ命令を送信して、移動局が図４及び図５に記載の方法を実行するように制御するように配置された送信ユニット８０２を含む。
【０１０７】
図９は、本発明の一実施例に係る無線通信システム９００を示す模式的図である。無線通信システム９００は、図６及び７を結合して説明した移動局９０２と、図８を結合して説明した基地局９０４とを含む。
【０１０８】
当業者は、ここで挙げたのは、例示的なものであり、本発明を限定するわけではないことを理解すべきである。
【０１０９】
本明細書において、「第１」、「第２」及び「第Ｎ」などの記載は、本発明を明瞭に説明するように、記載された特徴を文字上で区分するためのものであるため、いずれかの限定性意味を有すると見なされないべきである。
【０１１０】
一つの例としては、上記の各ステップ及び上記装置の各構成モジュール及び／又はユニットは、通信システムの基地局（例えば、ｅＮｏｄｅＢ）又は移動局（例えば、ユーザ装置）におけるソフトウェア、ファームウェア、ハードウェア又はそれらの組合せとして実施されており、基地局又は移動局ノードとしての相応の装置の一部としても良い。上記装置における各構成モジュールやユニットは、ソフトウェア、ファームウェア、ハードウェア又はそれらの組合せの方式で配置されるときに、使用可能な具体的な手段又は形態は、当業者にとって熟知されるものであるため、ここで説明を重複しない。
【０１１１】
上記の実施例に係る装置を含むシステムも、本発明の保護範囲に該当すると考えられるべきであることを理解し易い。
【０１１２】
一つの例として、ソフトウェアまたはファームウェアで実現された場合に、記憶媒体またはネットワークから、専用なハードウェア構造を有するコンピュータ（例えば、図１０に示す汎用コンピュータ１０００）へ当該ソフトウェアを構成するプログラムをインストールしてもよい。当該コンピュータは、各種のプログラムがインストールされた場合に、各種の機能などを実行することができる。
【０１１３】
図１０において、中央処理装置（ＣＰＵ）１００１が、読取専用メモリ（ＲＯＭ）１００２に記憶されたプログラム又は記憶部１００８からランダムアクセスメモリ（ＲＡＭ）１００３にロードされたプログラムにより、各種の処理を実行する。ＲＡＭ１００３において、更に必要に応じてＣＰＵ１００１が各種の処理等を実行するために必要なデータが記憶されている。ＣＰＵ１００１、ＲＯＭ１００２とＲＡＭ１００３はバス１００４を介して互いに接続されている。入力／出力インタフェース１００５もパス１００４に接続されている。
【０１１４】
入力部１００６（キーボード、マウス等を含む）と、出力部１００７（ディスプレイ、例えばブラウン管（ＣＲＴ）、液晶ディスプレイ（ＬＣＤ）等とスピーカ等を含む）と、記憶部１００８（ハードディスク等を含む）と、通信部１００９（ネットワークインターフェースカード、例えばＬＡＮカード、モデム等を含む）とが、入力／出力インタフェース１００５に接続されている。通信部１００９がネットワーク、例えばインターネットを経由して通信処理を実行する。必要に応じて、入力／出力インタフェース１００５にはドライバ１０１０も接続されている。磁気ディスク、光ディスク、光磁気ディスク、半導体メモリ等のような取り外し可能な媒体１０１１は、必要に応じてドライバ１０１０に取り付けられており、その中から読み出されたコンピュータプログラムが必要に応じて記憶部１００８にインストールされる。
【０１１５】
ソフトウェアで前記一連の処理を実現する場合、ネットワーク例えばインターネット、又は記憶媒体例えば取り外し可能な媒体１０１１からソフトウェアを構成するプログラムをインストールする。
【０１１６】
このような記憶媒体は、図１０に示された、その中にプログラムが記憶されているものであって、デバイスから離れて配分されることでユーザにプログラムを提供する取り外し可能な媒体１０１１に限定されないことを、当業者は理解すべきである。取り外し可能な媒体１０１１の例として、磁気ディスク（フロッピーディスク（登録商標））、光ディスク（コンパクトディスクリードオンリーメモリ（ＣＤ−ＲＯＭ）やデジタルヴァーサタイルディスク（ＤＶＤ）を含む）、光磁気ディスク（ミニディスク（ＭＤ）  （登録商標）を含む）及び半導体メモリを含む。または、記憶媒体はＲＯＭ１００２、記憶部１００８に含まれるハードディスクなどでも良い。その中にプログラムが記憶されており、これらを含むデバイスとともにユーザに配分される。
【０１１７】
本発明は、機械が読み取り可能な命令コードが記憶されるプログラム製品をさらに提供する。前記命令コードは機械により読み取られて実行されるときに、本発明の実施例による方法を実行することができる。
【０１１８】
相応に、上記の機械が読み取り可能な命令コードが記憶されるプログラム製品を搭載するための記憶媒体も本発明の開示に含まれる。前記記憶媒体は、ソフトウェア、光ディスク、磁気光ディスク、メモリカード、メモリスティックなどが含まれるが、それらに限定されない。
【０１１９】
以上に本発明の具体的な実施例に対する説明において、一種の実施形態に対して説明及び・又は、示した特徴は、同一または類似の方式で一つ又はより多くの他の実施形態において使用され、又はその他の実施形態における特徴を組合せ、又は他の実施形態における特徴を置き換えることができる。
【０１２０】
強調すべきなのは、「含む／有する」という述語は、本明細書に使用されるときに、特徴、要素、ステップまたはコンポーネントの存在を指すが、一つ又はより多くの他の特徴、要素、ステップ又はコンポーネントの存在又は付加は排除されないことである。
【０１２１】
また、本発明の方法は、明細書に記載の時間順に従って実行されることに限られず、他の時間順に従って並行又は独立に実行されても良い。従って、本明細書に記載の方法の実行順序は本発明の技術範囲を制限しない。
【０１２２】
以上に本発明の具体的な実施例に対する説明にて本発明を開示したが、当業者は特許請求の範囲の主旨及び範囲において、本発明の各種の修正、改進または均等物を設計することができる。これらの修正、改進または均等物も本発明の保護範囲に該当することは明らかである。
【図１】
0005522315.tif 000002
【図２】
0005522315.tif 000003
【図３】
0005522315.tif 000004
【図４】
0005522315.tif 000005
【図５】
0005522315.tif 000006
【図６】
0005522315.tif 000007
【図７】
0005522315.tif 000008
【図８】
0005522315.tif 000009
【図９】
0005522315.tif 000010
【図１０】
0005522315.tif 000011